(57)【要約】  【課題】パイプ類及びブラケットによって形成された狭隘部に埋め立てた埋設部材と、耐腐食保護膜層上に積層形成された耐チッピング並びに耐発錆保護膜層とが、冬季や夏季などの気候変動による温度差を受けたとしても、亀裂現象を生じないようにして、常に所定の腐食耐性を高く保持する。  【解決手段】フィラーパイプ２及びブラケット５の表面に、メッキ又はメッキ及びカチオン塗装からなる耐腐食保護膜層８を形成した状態で、フィラーパイプ２とブラケット５との間に形成される狭隘部６にポリエチレンなどの合成樹脂からなる略三角柱状のの埋設部材９を埋設嵌合し、埋設部材９を含めて耐腐食保護膜層８上に、埋設部材９と同材質からなる合成樹脂粉体をパウダー塗装することによって耐チッピング並びに耐発錆保護膜層１１を積層形成した。【選択図】図６
2015148274.tif 000002
【特許請求の範囲】
【請求項１】
タンク本体に装着される金属製のパイプ類の略円形外壁に金属製板材からなるブラケットを装着することで前記パイプ類と前記ブラケットとの間に断面略Ｖ字状の狭隘部が形成された状態で、前記ブラケットと共に施す前記パイプ類の表面保護構造であって、前記パイプ類及びブラケットの表面に、メッキ又はメッキ及びカチオン塗装からなる耐腐食保護膜層を形成した状態で、前記狭隘部にポリエチレンなどの合成樹脂から構成する略三角柱状の埋設部材を埋設嵌合し、且つ、該埋設部材を含めて前記耐腐食保護膜層上に、前記埋設部材と同材質からなる合成樹脂粉体をパウダー塗装することによって耐チッピング並びに耐発錆保護膜層を積層形成したことを特徴とするブラケット付き燃料タンク装置用パイプ類の表面保護構造。
【請求項２】
前記パイプ類が、前記タンク本体内に燃料を供給するフィラーパイプであり、当該フィラーハ゜イフ゜と前記ブラケットとの間に形成される前記狭隘部に前記埋設部材を埋設嵌合し、且つ、該埋設部材に対しても前記耐チッピング並びに耐発錆保護膜層を積層したことを特徴とする請求項１に記載のブラケット付き燃料タンク装置用パイプ類の表面保護構造。
【請求項３】
前記フィラーパイプに装着した前記ブラケットに、前記パイプ類を構成するベンチレーションパイプ又はリサーキュレーションパイプを装着組付けする組付け片部を形成して構成する場合、前記ベンチレーションパイプ又はリサーキュレーションパイプに前記ブラケットの組付け片部を装着した状態で形成される前記狭隘部にも前記埋設部材を埋設して構成し、当該埋設部材に対しても前記耐チッピング並びに耐発錆保護膜層を積層形成して構成したことを特徴とする請求項２に記載のブラケット付き燃料タンク装置用パイプ類の表面保護構造。
【発明の詳細な説明】
【技術分野】
【０００１】
この発明は、自動車車体に取付けるなどするブラケット付き燃料タンク装置用パイプ類の表面保護構造に関する。
【背景技術】
【０００２】
自動車などの燃料タンク装置は、動力源としての燃料を貯蔵すべくタンク本体を備えて構成しており、かかるタンク本体には、通常、車体側に設けた燃料注入口から燃料を注入するフィラーパイプや、タンク本体の上部空間を抜気するベンチレーションパイプさらにはタンク本体内の燃料蒸気を循環させるリサーキュレーションパイプが構成するパイプ類が装着されている（例えば、特許文献１或いは特許文献２を参照）。
【０００３】
かかるパイプ類は、いずれも鉄などの金属製であるが故に水分、酸素或いは錆促進物質等の錆要因物質に晒されて腐食される場合がある。このことから、その表面にブラケットと共にメッキ又はメッキ及びカチオン塗装からなる耐腐食保護膜層が形成されていると共に、当該耐腐食保護膜層の表面に、さらに、チッピング対策や防錆対策を施すべくポリエチレンなどの合成樹脂粉体をパウダー塗装することにより形成する耐チッピング並びに耐発錆保護膜層を積層形成して構成されている。
【０００４】
すなわち、この種の燃料タンク装置は、図７に示すように、パイプ類として例えば燃料を注入するフィラーパイプａを備えて構成しており、かかるフィラーパイプａは、車体に取付けるべくブラケットｂの一端側が溶接或いはロー付けｈにより取付けられ、ブラケットｂの他端側を車体の所定取付け部位にボルトナットなどを用いて設置するようにしている。
【０００５】
そして、フィラーパイプａは、ブラケットｂと共に耐腐食性を有すべく、その表面にはメッキ又はメッキ及びカチオン塗装による形成した耐腐食保護膜層ｃを形成して構成している。加えて、かかるフィラーパイプａ及びブラケットｂは、自動車の走行中などに起こる石跳ねなどに対する耐チッピング或いは泥水や塩水などに対する防錆対策として、耐腐食保護膜層ｃ上にさらにポリエチレンパウダーなどの合成樹脂粉体をパウダー塗装することにより耐チッピング並びに耐発錆保護膜層ｄを形成して構成している。
【０００６】
このように構成するフィラーパイプａは、ブラケットｂを取付けた場合、ブラケットｂが金属製板材をプレス成形などして形成されていることから、両者の間に断面略Ｖ字状の狭隘部ｅが形成されてしまうことになる。
【０００７】
かかる狭隘部ｅは、メッキ又はメッキ及びカチオン塗装による形成した耐腐食保護膜層ｃが形成された後も存在しており、耐腐食保護膜層ｃの上にパウダー塗装により耐チッピング並びに耐発錆保護膜層ｄを形成した場合には、狭隘部ｅの奥部側には特にパウダー塗装が付着しにくいことから、耐チッピング並びに耐発錆保護膜層ｄの膜厚が一般部位に比して薄目になりやすい。かかる点を解消すべく、耐チッピング並びに耐発錆保護膜層ｄを厚膜に形成するには、他の一般部位には必要以上の厚膜の耐チッピング並びに耐発錆保護膜層ｄを形成することになって、重量の増加と共に不経済となってしまう。
【０００８】
かかる課題を解決すべく、従来の技術においては、フィラーパイプａの製造工程を描画した図８に示すように、まず、工程（１）において、ロー付け接着又は溶接によりフィラーパイプａにブラケットｂを取付けておき、工程（２）において、メッキ又はメッキ及びカチオン塗装により、フィラーパイプａの表面（図示しないが内表面を含む）に、ブラケットｂを含めて、耐腐食保護膜層ｃを形成している。
【０００９】
その後、図８の（３）において、耐腐食保護膜層ｃを形成した後も存在する狭隘部ｅを、塩化ビニール系シーリング材からなる埋設部材ｆを埋設して埋め立てて、かかる状態から、パウダー塗装による耐チッピング並びに耐発錆保護膜層ｄを積層形成するようにしている。
【先行技術文献】
【特許文献】
【００１０】
【特許文献１】特開２００２−６７７１３号公報
【特許文献２】特開２０１０−１９５２１２号公報
【発明の開示】
【発明が解決しようとする課題】
【００１１】
したがって、従来技術においては、耐チッピング並びに耐発錆保護膜層ｄを積層形成する際には、フィラーパイプａとブラケットｂとの間に形成される狭隘部ｅは、塩化ビニール系シーリング材からなる埋設部材ｆにより埋め立てられていることから、当該部位に積層形成される耐チッピング並びに耐発錆保護膜層ｄの膜厚を一般部位と同様な必要最小限の膜厚とすることができることになる。
【００１２】
しかしながら、自動車などに使用する燃料タンク装置は、概して、車外に剥き出し設置されていることから、冬季や夏季などの気候変動による温度差に常に晒されていることになる。かかる環境下にフィラーパイプａなどのパイプ類が晒された場合、狭隘部ｅに埋め立てられた塩化ビニール系シーリング材からなる埋設部材ｆとその表面に積層形成された耐チッピング並びに耐発錆保護膜層ｄとは、温度による伸び率や膨張率が互いに異なっていることから、図９に示すように耐チッピング並びに耐発錆保護膜層ｄに亀裂ｇが生じることがあり、かかる亀裂ｇによって、特に腐食耐性の向上代を低下させてしまい兼ねない。
【００１３】
そこで、この発明は、パイプ類及びブラケットによって形成された狭隘部に埋め立てた埋設部材と、耐腐食保護膜層上に積層形成された耐チッピング並びに耐発錆保護膜層とが、冬季や夏季などの気候変動による温度差を受けたとしても、亀裂現象を生じないようにして、常に所定の腐食耐性を保持できるように構成したブラケット付き燃料タンク装置用パイプ類の表面保護構造を提供することを目的としている。
【課題を解決するための手段】
【００１４】
この発明に係るブラケット付き燃料タンク装置用パイプ類の表面保護構造は、タンク本体に装着される金属製のパイプ類の略円形外壁に金属製板材からなるブラケットを装着することで前記パイプ類と前記ブラケットとの間に断面略Ｖ字状の狭隘部が形成された状態で、前記ブラケットと共に施す前記パイプ類の表面保護構造であって、前記パイプ類及びブラケットの表面に、メッキ又はメッキ及びカチオン塗装からなる耐腐食保護膜層を形成した状態で、前記狭隘部にポリエチレンなどの合成樹脂から構成する略三角柱状の埋設部材を埋設嵌合し、且つ、該埋設部材を含めて前記耐腐食保護膜層上に、前記埋設部材と同材質からなる合成樹脂粉体をパウダー塗装することによって耐チッピング並びに耐発錆保護膜層を積層形成したことを特徴とする。
【００１５】
かかる構成により、この発明は、パイプ類とブラケットとの間に形成される狭隘部にポリエチレンなどの合成樹脂から構成する略三角柱状の埋設部材を埋設嵌合した上で、埋設部材と同材質からなる合成樹脂粉体をパウダー塗装することにより耐腐食保護膜層上に耐チッピング並びに耐発錆保護膜層を積層形成している。かかることから、耐チッピング並びに耐発錆保護膜層は、高温下においてパウダー塗装により形成されていることから、その下層に存する同材質の埋設部材と同化して一体となり、たとえ気候変動による温度差を受けたとしても、埋設部材との間における伸び率や膨張率が同等であるが故に、耐チッピング並びに耐発錆保護膜層における亀裂発生を抑制して腐食耐性の向上代を常に高く保持することができる。
【００１６】
また、この発明に係る実施形態としてのブラケット付き燃料タンク装置用パイプ類の表面保護構造は、上記発明におけるパイプ類が、前記タンク本体内に燃料を供給するフィラーパイプであり、当該フィラーパイプと前記ブラケットとの間に形成される前記狭隘部に前記埋設部材を埋設嵌合し、且つ、該埋設部材に対しても前記耐チッピング並びに耐発錆保護膜層を積層して構成している。
【００１７】
かかる構成により、この発明における実施形態は、フィラーパイプとブラケットとの間に形成される狭隘部にポリエチレンなどの合成樹脂から構成する略三角柱状の第１の埋設部材を埋設嵌合した上で、第１の埋設部材と同材質からなる合成樹脂粉体をパウダー塗装することにより耐腐食保護膜層上に耐チッピング並びに耐発錆保護膜層を積層形成している。かかることから、耐チッピング並びに耐発錆保護膜層は、高温下においてパウダー塗装により形成されていることから、その下層に存する同材質の第１の埋設部材と同化して一体となり、たとえ気候変動による温度差を受けたとしても、埋設部材との間における伸び率や膨張率が同等となって、亀裂発生を抑制して腐食耐性の向上代を常に高く保持することができる。
【００１８】
また、この発明に係る実施形態としてのブラケット付き燃料タンク装置用パイプ類の表面保護構造は、前記フィラーパイプに装着した前記ブラケットに、前記パイプ類を構成するベンチレーションパイプ又はリサーキュレーションパイプを装着組付けする組付け片部を形成して構成する場合、前記ベンチレーションパイプ又はリサーキュレーションパイプに前記ブラケットの組付け片部を装着した状態で形成される前記狭隘部にも前記埋設部材を埋設して構成し、当該埋設部材に対しても前記耐チッピング並びに耐発錆保護膜層を積層形成して構成している。
【００１９】
かかる構成により、この発明における実施形態は、ベンチレーションパイプ又はリサーキュレーションパイプとブラケットに形成した組付け片部との間に形成される狭隘部にも埋設部材を埋設嵌合した上で、当該埋設部材と同材質からなる合成樹脂粉体をパウダー塗装することにより耐腐食保護膜層上に耐チッピング並びに耐発錆保護膜層を積層形成している。かかることから、耐チッピング並びに耐発錆保護膜層は、高温下においてパウダー塗装により形成されていることから、その下層に存する同材質の埋設部材と同化して一体となり、たとえ気候変動による温度差を受けたとしても、当該埋設部材との間における伸び率や膨張率が同等となって、亀裂発生を抑制して腐食耐性の向上代を常に高く保持することができる。
【発明の効果】
【００２０】
この発明は、パイプ類とブラケットとの間に形成される狭隘部にポリエチレンなどの合成樹脂から構成する略三角柱状の埋設部材を埋設嵌合した上で、埋設部材と同材質からなる合成樹脂粉体をパウダー塗装することにより耐腐食保護膜層上に耐チッピング並びに耐発錆保護膜層を積層形成している。かかることから、耐チッピング並びに耐発錆保護膜層は、高温下においてパウダー塗装により形成されていることから、その下層に存する同材質の埋設部材と同化して一体となり、たとえ気候変動による温度差を受けたとしても、埋設部材との間における伸び率や膨張率が同等であるが故に、耐チッピング並びに耐発錆保護膜層における亀裂発生を抑制して腐食耐性の向上代を常に高く保持することができる。
【図面の簡単な説明】
【００２１】
【図１】この発明に係る実施例１を採用した燃料タンク装置を概略的に描画した斜視図である。
【図２】図１における一点鎖線円内を拡大して描画した斜視図である。
【図３】図２におけるＡ−Ａ断面図である。
【図４】この発明に係る実施例１に使用する埋設部材の斜視図である。
【図５】この発明に係る実施例２を採用した燃料タンク装置における図１と同様の斜視図である。
【図６】図５のＢ−Ｂ断面図である。
【図７】従来の技術における燃料タンク装置における図６と同様な部位の断面図である。
【図８】図７における従来に技術における耐腐食保護膜層と耐チッピング並びに耐発錆保護膜層を形成する概略工程図である。
【図９】図７に示す従来の技術において、耐チッピング並びに耐発錆保護膜層に亀裂が発生した状態を描画した要部拡大断面図である。
【発明を実施するための形態】
【００２２】
この発明の実施例に係るブラケット付き燃料タンク装置用パイプ類の表面保護構造は、パイプ類及びブラケットによって形成された狭隘部に埋め立てた埋設部材と、耐腐食保護膜層上に積層形成された耐チッピング並びに耐発錆保護膜層とが、冬季や夏季などの気候変動による温度差を受けたとしても、亀裂現象を生じないようにして、常に所定の腐食耐性を高く保持できるように構成している。
【００２３】
次に、図１乃至図４を用いて、この発明を採用した実施例１に係るブラケット付き燃料タンク装置用パイプ類の表面保護構造について説明する。
【００２４】
先ず、図１において、エンジンの動力源としての燃料を貯蔵するタンク本体１は、一方のタンク半体（例えば、アッパータンク）１ａと他方のタンク半体（例えば、ロアタンク）１ｂとを周縁フランジ部同士を互いに接合することによって構成している。
【００２５】
タンク本体１には、自動車の動力源となる燃料をタンク本体１内に注入するフィラーパイプ２やタンク本体１の上部空間を抜気するベンチレーションパイプ（又はタンク本体内の燃料蒸気を循環させるリサーキュレーションパイプ）３、さらにはタンク本体１内の燃料蒸気を不図示のキャニスターに送出するエバポレーションパイプ４などが構成する鉄などの金属製のパイプ類が装着設置されている。
【００２６】
そして、フィラーパイプ２は、金属製板材をプレス成形してなるブラケット５を介して不図示の車体に取付けられるように構成している。かかることから、フィラーパイプ２の略円形外壁には、ブラケット５におけるフィラーパイプ２の略円形外壁に添うように形成された湾曲状の一端側が溶接或いはロー付け部１２により装着されている。また、ブラケット５の他端側は、平板状に形成された上で、車体にボルト／ナットなどを用いて取付けるべく、例えば一対の取付け孔５ａが穿設されている。
【００２７】
さらに、ブラケットの中央部には、ベンチレーションパイプ（又はリサーキュレーションパイプ）３をフィラーパイプ２に添設結束すべく、組付け片部５ｂが湾曲形成されている。組付け片部５は、ベンチレーションパイプ（又はリサーキュレーションパイプ）３にやはり溶接或いはロー付け部１３により装着されように構成している。
【００２８】
図３に示すように、ブラケット５の一端側をフィラーパイプ２の略円形外壁に装着したことにより、フィラーパイプ２とブラケット５との間には、断面略Ｖ字状の狭隘部６が形成されていることになる。また、ブラケット５の組付け片部５ｂをベンチレーションパイプ（又はリサーキュレーションパイプ）３の略円形外壁に装着したことにより、ベンチレーションパイプ（又はリサーキュレーションパイプ）３とブラケット５の組付け片部５ｂとの間には、やはり断面略Ｖ字状の狭隘部７が形成されていることになる。
【００２９】
そして、フィラーパイプ２及びベンチレーションパイプ（又はリサーキュレーションパイプ）３の外表面には、ブラケット５の外表面と共に、メッキ又はメッキ及びカチオン塗装することにより、腐食から保護すべく、耐腐食保護膜層８が形成されている。耐腐食保護膜層８は、メッキ又はメッキ及びカチオン塗装することにより形成されることから、狭隘部６及び狭隘部７内にも、延在していることになる。
【００３０】
このように、耐腐食保護膜層８が形成された状態で、狭隘部６は、耐腐食保護膜層８上に載置される形で、ポリエチレンなどの合成樹脂から構成する略三角柱状の第１の埋設部材９を埋設嵌合することにより埋め詰めされている。また、同様に、耐腐食保護膜層８が形成された状態で、狭隘部７は、耐腐食保護膜層８上に載置される形で、図４に示すようなポリエチレンなどの合成樹脂から構成する略三角柱状の埋設部材１０を埋設嵌合することにより埋め詰めされている。
【００３１】
そして、かかる狭隘部６及び狭隘部７に埋設部材９及び埋設部材１０がそれぞれ埋め詰めされた状態で、耐腐食保護膜層８の上には、埋設部材９及び埋設部材１０の表面を含めて、かかる両埋設部材９、１０と同材質のポチエチレンなどの合成樹脂粉体をパウダー塗装することによって、耐チッピング並びに耐発錆保護膜層１１が積層形成されている。
【００３２】
このように構成するこの発明の実施例１においては、フィラーパイプ２とブラケット５との間に形成される狭隘部６にポリエチレンなどの合成樹脂から構成する略三角柱状の埋設部材９を埋設嵌合した上で、埋設部材９と同材質からなる合成樹脂粉体をパウダー塗装することにより耐腐食保護膜層８上に耐チッピング並びに耐発錆保護膜層１１を積層形成していることになる。かかることから、耐チッピング並びに耐発錆保護膜層１１は、高温下においてパウダー塗装により形成されていることから、その下層に存する同材質の埋設部材９と同化して一体となり、たとえ気候変動による温度差を受けたとしても、埋設部材９との間における伸び率や膨張率が同等となって、亀裂発生を抑制して腐食耐性の向上代を常に高く保持することができる。
【００３３】
また、上記のように構成するこの発明の実施例１においては、ベンチレーションパイプ（又はリサーキュレーションパイプ）３とブラケット５に形成した組付け片部５ｂとの間に形成される狭隘部７に埋設部材９と同材質のポリエチレンなどの合成樹脂から構成する略三角柱状の埋設部材１０を埋設嵌合した上で、埋設部材１０と同材質からなる合成樹脂粉体をパウダー塗装することにより耐腐食保護膜層８上に耐チッピング並びに耐発錆保護膜層１１を積層形成していることになる。かかることから、耐チッピング並びに耐発錆保護膜層１１は、高温下においてパウダー塗装により形成されていることから、その下層に存する同材質の埋設部材１０と同化して一体となり、たとえ気候変動による温度差を受けたとしても、埋設部材１０との間における伸び率や膨張率が同等となって、亀裂発生を抑制して腐食耐性の向上代を常に高く保持することができる。
【００３４】
次に、図５及び図６を用いて、この発明に係る実施例２について説明する。
【００３５】
かかる実施例２においては、実施例１と同様に、タンク本体１に装着されて燃料に晒される金属製のフィラーパイプ２の略円形外壁に金属製板材をプレス成形してなるブラケット５を装着することでフィラーパイプ２とブラケット５との間に断面略Ｖ字状の狭隘部６が形成された状態で、ブラケット５と共に施すフィラーパイプ２の表面保護構造として、フィラーパイプ２及びブラケット５の表面に、メッキ又はメッキ及びカチオン塗装からなる耐腐食保護膜層８を形成した状態で、狭隘部６にポリエチレンなどの合成樹脂から構成する略三角柱状の埋設部材９を埋設嵌合して埋め込み、且つ、埋設部材９を含めて耐腐食保護膜層８上に、埋設部材９と同材質からなる合成樹脂粉体をパウダー塗装することによって耐チッピング並びに耐発錆保護膜層１１を積層形成している。
【００３６】
かかる実施例２においては、上記実施例１と相違して、ブラケット５には組付け片部５ｂが構成されておらず、従って、フィラーパイプ２に対するベンチレーションパイプ（又はリサーキュレーションパイプ）３の結束構成を有して構成するものではない。
【００３７】
このように構成する実施例２は、フィラーパイプ２とブラケット５との間に形成される狭隘部６にポリエチレンなどの合成樹脂から構成する略三角柱状の埋設部材９を埋設嵌合した上で、埋設部材９と同材質からなる合成樹脂粉体をパウダー塗装することにより耐腐食保護膜層８上に耐チッピング並びに耐発錆保護膜層１１を積層形成していることになる。かかることから、耐チッピング並びに耐発錆保護膜層１１は、高温下においてパウダー塗装により形成されていることから、その下層に存する同材質の埋設部材９と同化して一体となり、たとえ気候変動による温度差を受けたとしても、埋設部材９との間における伸び率や膨張率が同等となって、亀裂発生を抑制して腐食耐性の向上代を常に高く保持することができる。
【００３８】
実施例２においては、実施例１のように、フィラーパイプ２とベンチレーションパイプ（又はリサーキュレーションパイプ）３の結束構成を有して構成していないことから、ベンチレーションパイプ（又はリサーキュレーションパイプ）３に、ブラケット５とは別体構成のブラケット（不図示）を装着構成する場合には、当該ブラケットとの間に狭隘部が形成されることになるが、かかる狭隘部に対しても、上記埋設部材１０と同様な形状及び材質を有する埋設部材を嵌合埋設した上で、耐チッピング並びに耐発錆保護膜層１１が形成されることになる。
【産業上の利用可能性】
【００３９】
以上説明したこの発明は、パイプ類及びブラケットによって形成された狭隘部に埋め立てた埋設部材と、耐腐食保護膜層上に積層形成された耐チッピング並びに耐発錆保護膜層とが、冬季や夏季などの気候変動による温度差を受けたとしても、亀裂現象を生じないようにして、常に腐食耐性を高く保持できるように構成していることから、自動車車体に取付けるなどするブラケット付き燃料タンク装置用パイプ類の表面保護構造等に好適であるといえる。
【符号の説明】
【００４０】
１    タンク本体
２    フィラーパイプ（パイプ類）          
３    ベンチレーションパイプ（又はリサーキュレーションパイプ）（パイプ類）
５    ブラケット
６、７    狭隘部
８    耐腐食保護膜層
９、１０    埋設部材
１１    耐チッピング並びに耐発錆保護膜層
【図１】
2015148274.tif 000003
【図２】
2015148274.tif 000004
【図３】
2015148274.tif 000005
【図４】
2015148274.tif 000006
【図５】
2015148274.tif 000007
【図６】
2015148274.tif 000008
【図７】
2015148274.tif 000009
【図８】
2015148274.tif 000010
【図９】
2015148274.tif 000011